(57)【要約】【課題】  基本的形状の既存カーテンフックであれば取り付けることができて汎用性が高く、しかも、取付操作も容易な付加式カーテンフックを提供すること。【解決手段】  板状の基礎板体１の一方の面には鉤状のフック２を突設する一方、他方の面には上下一対の上側抱持アーム３Ａおよび下側抱持アーム３Ｂを、基端部同士が所定間隔を有して突設して、これら各抱持アーム３Ａ・３Ｂの腕部31Ａ・31Ｂを、前記フック２の軸線の略直交方向に延成するとともに、これら腕部31Ａ・31Ｂ同士を平行にする一方、これら各腕部31Ａ・31Ｂの先端部を互いに反対方向を向けて、かつ、これら各先端部にはそれぞれ矢先状突起32Ａ・32Ｂを形成して構成するという技術的手段を採用した。【選択図】  図１
2016165346.tif 000002
【特許請求の範囲】
【請求項１】
主軸の側面にレール止着フックおよびカーテン止着フックとがそれぞれ形成された既設カーテンフック（Ｆ）に取付可能な付加式のフック部材であって、
板状の基礎板体（１）の一方の面には鉤状のフック（２）が突設されている一方、他方の面には上下一対の上側抱持アーム（３Ａ）および下側抱持アーム（３Ｂ）が、基端部同士が所定間隔を有して突設されており、
これら各抱持アーム（３Ａ・３Ｂ）の腕部（31Ａ・31Ｂ）は、前記フック（２）の軸線の略直交方向に延成されるとともに、これら腕部（31Ａ・31Ｂ）同士は平行である一方、
これら各腕部（31Ａ・31Ｂ）の先端部は互いに反対方向を向いており、かつ、これら各先端部にはそれぞれ矢先状突起（32Ａ・32Ｂ）が形成されて構成されており、
前記フック（２）を摘んで前記平行する腕部（31Ａ・31Ｂ）間に既設カーテンフック（Ｆ）の主軸を挟み、この主軸に前記基礎板体（１）を当接させながら腕部（31Ａ・31Ｂ）が水平方向となるように回転することにより、前記矢先状突起（32Ａ・32Ｂ）が既設カーテンフック（Ｆ）の下側曲部の隙間（Ｓ）に挿入されて主軸に抱持可能であることを特徴とする付加式カーテンフック。
【請求項２】
抱持アーム（３Ａ・３Ｂ）の矢先状突起（32Ａ・32Ｂ）は、両面に傾斜部が形成されていることを特徴とする請求項１記載の付加式カーテンフック。
【請求項３】
下側抱持アーム（３Ｂ）の腕部（32Ｂ）の太さが、上側抱持アーム（３Ａ）の腕部（32Ａ）の太さよりも大きいことを特徴とする請求項１または２記載の付加式カーテンフック。
【請求項４】
抱持アーム（３）の腕部（31）の外側面が曲面状に形成されていることを特徴とする請求項１〜３の何れか一つに記載の付加式カーテンフック。
【発明の詳細な説明】
【技術分野】
【０００１】
本発明は、カーテンフックの改良、更に詳しくは、基本的形状の既存カーテンフックであれば取り付けることができて汎用性が高く、しかも、取付操作も容易な付加式カーテンフックに関するものである。
【背景技術】
【０００２】
部屋窓に吊り下げるカーテンにおいて、遮光カーテンとレースカーテンなどを組み合わせて複数のカーテンを併用する場合（所謂「二重カーテン構造」）には、それぞれのカーテンを吊支するためのフックが必要になる。
【０００３】
従来、かかる二重カーテン構造を構成するために、既存のカーテンフックに増設用カーテンフックを付加することができるものが開示されている。
【０００４】
例えば、＜特許文献１＞には、既設のカーテンフックに形成された凹凸部（ラチェット部）に嵌合させるものが開示されているが、取付可能な既設のカーテンフックの形状が限定されてしまい、汎用性に乏しいという問題があった。
【０００５】
また、＜特許文献２＞には、専用の取付孔が予め成形されているカーテンフックに、フックを付加できるものも開示されているが、これらのフックは不可分なセットであるため、付加フックのみを独立して使用することはできず、これまた汎用性に乏しい。
【０００６】
なお、かかる付加式のフックにあっては、身近な生活器具であって使用者も広範囲に渡ることから、高齢者などであっても、既設のカーテンフックに簡単に取り付けることができる構造が望まれている。
【先行技術文献】
【特許文献】
【０００７】
【特許文献１】特開２０１４−２１７７０９号公報
【特許文献２】特開２０００−７０１１５号公報
【発明の概要】
【発明が解決しようとする課題】
【０００８】
本発明は、従来のカーテンフックに上記のような問題があったことに鑑みて為されたものであり、その目的とするところは、基本的形状の既存カーテンフックであれば取り付けることができて汎用性が高く、しかも、取付操作も容易な付加式カーテンフックを提供することにある。
【課題を解決するための手段】
【０００９】
本発明者が上記技術的課題を解決するために採用した手段を、添付図面を参照して説明すれば、次のとおりである。
【００１０】
即ち、本発明は、主軸の側面にレール止着フックおよびカーテン止着フックとがそれぞれ形成された既設カーテンフックＦに取付可能な付加式のフック部材であって、
板状の基礎板体１の一方の面には鉤状のフック２を突設する一方、他方の面には上下一対の上側抱持アーム３Ａおよび下側抱持アーム３Ｂを、基端部同士が所定間隔を有して突設して、
これら各抱持アーム３Ａ・３Ｂの腕部31Ａ・31Ｂを、前記フック２の軸線の略直交方向に延成するとともに、これら腕部31Ａ・31Ｂ同士を平行にする一方、これら各腕部31Ａ・31Ｂの先端部を互いに反対方向を向けて、かつ、これら各先端部にはそれぞれ矢先状突起32Ａ・32Ｂを形成して構成するという技術的手段を採用したことによって、付加式カーテンフックを完成させた。
【００１１】
また、本発明は、上記課題を解決するために、必要に応じて上記手段に加え、抱持アーム３Ａ・３Ｂの矢先状突起32Ａ・32Ｂは、両面に傾斜部を形成するという技術的手段を採用することができる。
【００１２】
更にまた、本発明は、上記課題を解決するために、必要に応じて上記手段に加え、下側抱持アーム３Ｂの腕部32Ｂの太さを、上側抱持アーム３Ａの腕部32Ａの太さよりも大きくするという技術的手段を採用することができる。
【００１３】
更にまた、本発明は、上記課題を解決するために、必要に応じて上記手段に加え、抱持アーム３の腕部31の外側面を曲面状に形成するという技術的手段を採用することができる。
【発明の効果】
【００１４】
本発明は、板状の基礎板体の一方の面には鉤状のフックを突設する一方、他方の面には上下一対の上側抱持アームおよび下側抱持アームを、基端部同士が所定間隔を有して突設して、これら各抱持アームの腕部を、前記フックの軸線の略直交方向に延成するとともに、これら腕部同士を平行にする一方、これら各腕部の先端部を互いに反対方向を向けて、かつ、これら各先端部にはそれぞれ矢先状突起を形成して構成したことによって、
前記フックを摘んで前記平行する腕部間に既設カーテンフックの主軸を挟み、この主軸に前記基礎板体を当接させながら腕部が水平方向となるように回転することにより、前記矢先状突起を既設カーテンフックの下側曲部の隙間に挿入して主軸に抱持させることができる。
【００１５】
したがって、本発明の付加式カーテンフックによれば、基本的形状の既存カーテンフックであれば取り付けることができて汎用性が高く、しかも、取付操作も容易であることから、産業上の利用価値は頗る大きい。
【図面の簡単な説明】
【００１６】
【図１】本発明の実施形態の付加式カーテンフックを表わす全体斜視図である。
【図２】本発明の実施形態の付加式カーテンフックを表わす全体斜視図である。
【図３】本発明の実施形態の付加式カーテンフックの使用状態を表わす部分側面図である。
【図４】本発明の実施形態の付加式カーテンフックの使用状態を表わす部分正面図である。
【図５】本発明の実施形態の付加式カーテンフックの使用状態を表わす部分正面図である。
【図６】本発明の実施形態の付加式カーテンフックの使用状態を表わす側面平面図である。
【図７】本発明の実施形態の付加式カーテンフックの使用状態を表わす全体側面図である。
【図８】本発明の実施形態の付加式カーテンフックの変形例を表わす全体斜視図である。
【図９】本発明の実施形態の付加式カーテンフックの変形例を表わす全体斜視図である。
【図１０】本発明の実施形態の付加式カーテンフックの使用状態を表わす全体側面図である。
【発明を実施するための形態】
【００１７】
本発明の実施形態を図１から図１０に基づいて説明する。図中、符号１で指示するものは基礎板体であり、符号２で指示するものはフックである。
【００１８】
また、符号３で指示するものは抱持アームであり、上下一対の上側抱持アーム３Ａと下側抱持アーム３Ｂとからなる。この抱持アーム３および前記基礎板体１、フック２とは、合成樹脂材料（ポリオレフィン系の熱可塑性樹脂など）により一体に成形することができる。
【００１９】
しかして、本発明の付加式カーテンフックは、主軸の側面にレール止着フックおよびカーテン止着フックとがそれぞれ形成された既設カーテンフックＦに取付可能な付加式のフック部材であって、構成について以下に説明する。
【００２０】
まず、板状の基礎板体１の一方の面には鉤状のフック２を突設する。このフック２は、付加するカーテンを吊支する機能を備えた部分であって、付加するカーテンに設けられたポケット等の取付部に直接差し込んだり、カーテンに固定されたリング等の止着具を挿通したりすることができる。なお、本実施形態では、このフック２の形状として、略Ｕ字型に湾曲形状のものを採用するが、Ｖ字型やコの字型に屈曲したものを採用することもできる。
【００２１】
次に、他方の面には上下一対の上側抱持アーム３Ａおよび下側抱持アーム３Ｂを、基端部同士が所定間隔を有して突設する（図１および図２参照）。本実施形態では、基礎板体１を方形状に形成し、その対角に基端部をそれぞれ設ける。
【００２２】
そして、これら各抱持アーム３Ａ・３Ｂの腕部31Ａ・31Ｂを、前記フック２の軸線の略直交方向に延成するとともに、これら腕部31Ａ・31Ｂ同士を平行にする。本実施形態における腕部31Ａ・31Ｂは、それぞれＬ字型の屈曲形状に形成する。
【００２３】
更に、これら各腕部31Ａ・31Ｂの先端部は互いに反対方向を向いており、かつ、これら各先端部にはそれぞれ矢先状突起32Ａ・32Ｂを形成する。この矢先状突起32Ａ・32Ｂは、抜け止めのための凸部が、基礎板体１側に少なくとも突出している。
【００２４】
そして、後述する取付時における作業をスムースにするために、矢先状突起32Ａ・32Ｂの先端を尖らせて、既設カーテンフックＦの隙間Ｓに挿入しやすくする。なお、本実施形態では、これら矢先状突起32Ａ・32Ｂにおいて、両面に傾斜部を形成することによって、隙間Ｓの位置により挿入しやすくすることができる。この傾斜部は平面状であっても良いし、曲面状であっても良い。
【００２５】
次に、本実施形態の付加式カーテンフックの使用方法を以下に説明する。まず、既設カーテンフックＦの構成は、主軸の側面にレール止着フックおよびカーテン止着フックとがそれぞれ形成されたものを対象とする。通常、主軸は略方形あるいはＨ型の断面形状であるとともに（より具体的には１辺が３〜６ｍｍ程度）、レール止着フックとカーテン止着フックとが主軸の反対面にそれぞれ形成されている。また、レール止着フックは上下にスライド調節可能なものであっても良い。
【００２６】
そして、前記フック２を摘んで前記平行する腕部31Ａ・31Ｂ間に既設カーテンフックＦの主軸を挟む。この際、既設カーテンフックＦにはカーテンが吊支されている状態であるので、既設カーテンフックＦは鉛直方向になっているため、図３および図４に示すように、フック２は水平状態であり、腕部31Ａ・31Ｂが鉛直方向となる。
【００２７】
次いで、この主軸に対して前記基礎板体１を当接させ、この基礎板体１を当接させながら腕部31Ａ・31Ｂが水平方向となるように９０度ひねって回転させる（図５参照）。
【００２８】
こうすることにより、前記矢先状突起32Ａ・32Ｂが既設カーテンフックＦの下側曲部の隙間Ｓに挿入される（図６参照）。
【００２９】
こうして、本実施形態の付加式カーテンフックを既設カーテンフックＦの主軸に抱持して固定することができるのである（図７参照）。
【００３０】
なお、腕部31Ａ・31Ｂの長さ（内周形状）を既設カーテンフックＦの軸部サイズに略合致させることが好ましく、この基礎板体１を軸部に当接させた状態において、矢先状突起32Ａ・32Ｂの先端が既設カーテンフックＦの下側曲部の隙間Ｓの位置に丁度合致して、自然に位置決めされるため、基礎板体１を当接させながらひねるだけの極めて簡単な操作で取り付けることができる。
【００３１】
また、腕部31Ａ・31Ｂの矢先状突起32Ａ・32Ｂが、フック２のひねりとともに隙間Ｓに挿入されていく際、腕部の材料特性により弾性変形して矢先状突起32Ａ・32Ｂが前記軸部を乗り越え、設置完了段階では元の形状に戻ることによって、矢先状突起32Ａ・32Ｂが軸部に引っ掛かり、確実にロックすることができる。
【００３２】
なお、本実施形態では、図８に示すように、下側抱持アーム３Ｂの腕部32Ｂの太さを、上側抱持アーム３Ａの腕部32Ａの太さよりも大きくすることもできる。こうすることにより、付加カーテンの荷重を全て受けることになる下側抱持アーム３Ｂの強度を向上させることができる。
【００３３】
また、本実施形態では、図９に示すように、抱持アーム３の腕部31の外側面を曲面状に形成することができる。こうすることにより、既設カーテンフックＦにカーテンが吊支されている状態で既設カーテンが隙間Ｓに入り込んで狭くなっていることが多いが、挿入時に腕部31の外側面がこの既設カーテンの生地表面を滑らかに摺動するため、スムースな回転操作を行うことができる。
【００３４】
また、本実施形態の付加式カーテンフックは、図１０に示すような金属線材のみの単純構造の既設カーテンフックＦであっても、前記同様の操作で簡単に取り付けることができるため、高い汎用性を有する。
【００３５】
本発明は、概ね上記のように構成されるが、図示の実施形態に限定されるものでは決してなく、「特許請求の範囲」の記載内において種々の変更が可能であって、例えば、基礎板体１の形状は方形状に限らず、多角形や円形、楕円形、または異形の形状であっても良く、厚さも任意である。
【００３６】
また、抱持アーム３の形状は、既設カーテンフックＦの軸部を抱持できるものであれば、腕部をＬ字型の屈曲形状に形成したものに限らず、湾曲形状にすることもできる。
【００３７】
更にまた、基礎板体１、フック２および抱持アーム３の使用材料は合成樹脂材料に限らず、他の弾性部材等で作製することができ、また、一体成形に限らず、接着や嵌合によって構成されたものでも良く、これら何れのものも本発明の技術的範囲に属する。
【符号の説明】
【００３８】
１    基礎板体
２    フック
３    抱持アーム
３Ａ  上側抱持アーム
31Ａ  腕部
32Ａ  矢先状突起
３Ｂ  下側抱持アーム
31Ｂ  腕部
32Ｂ  矢先状突起
Ｆ    既設カーテンフック
Ｓ    隙間
【図１】
2016165346.tif 000003
【図２】
2016165346.tif 000004
【図３】
2016165346.tif 000005
【図４】
2016165346.tif 000006
【図５】
2016165346.tif 000007
【図６】
2016165346.tif 000008
【図７】
2016165346.tif 000009
【図８】
2016165346.tif 000010
【図９】
2016165346.tif 000011
【図１０】
2016165346.tif 000012